(57)【特許請求の範囲】
【請求項１】
入力信号（Ｓ）を同期化する方法であって、
第一の復調された入力信号（ＳＡＭ）を生成するための第一の信号パラメータに関連して第一の復調方式（ＡＭ）にしたがって入力信号（Ｓ）を復調し（５ａ）、
第一の復調された入力信号（ＳＡＭ）と第一の比較信号（ｆ（ＡＭ，信号））との間の時間的ずれ（τ）を決定するために前記第一の復調された入力信号（ＳＡＭ）と前記第一の復調方式（ＡＭ）に依存する第一の比較信号（ｆ（ＡＭ，信号））とを相関させ（６ａ）、
第二の復調された入力信号（ＳＦＭ）を生成するための第二の信号パラメータに関連して第二の復調方式（ＦＭ）にしたがって前記入力信号（Ｓ）を復調し（５ｂ）、
前記第二の復調された入力信号（ＳＦＭ）と前記第二の比較信号（ｆ（ＦＭ，信号））との間の時間的ずれを決定するための前記第二の復調された入力信号（ＳＦＭ）と第二の復調方式（ＦＭ）に依存する第二の比較信号（ｆ（ＦＭ，信号））とを相関させ（６ｂ）、
前記相関によって決定された時間的ずれ（τ）にしたがって前記入力信号（Ｓ）を時間的にシフトさせることを含む方法。
【請求項２】
前記第一の復調方式は振幅復調（ＡＭ）で、前記第一の信号パラメータは振幅であり、前記第二の復調方式は周波数復調（ＦＭ）で前記第二の信号パラメータは周波数である請求項１記載の方法。
【請求項３】
入力信号（Ｓ）を同期化する方法であって、
３以上のｎ個の異なる復調された入力信号（Ｓｆ（ｘ））を生成するために前記入力信号（Ｓ）は、ｎ個の異なるパラメータに関連するｎ個の異なる復調方式（ｆ（ｘ））にしたがって復調され（５ａ，５ｂ，５ｃ）、
各復調された入力信号（Ｓｆ（ｘ））と前記関連比較信号（ｆ（ｆ（ｘ），信号））との間の時間的ずれ（τ１，τ２，τ３）を決定するためにそれぞれの復調された入力信号（Ｓｆ（ｘ））は、前記関連復調方式（ｆ（ｘ））に依存した関連比較信号（ｆ（ｆ（ｘ），信号））と相関させ（６ａ，６ｂ，６ｃ）、
前記相関によって決定された時間的ずれ（τ）にしたがって前記入力信号（Ｓ）を時間的にシフトさせることを含む方法。
【請求項４】
それぞれの復調方式は、前記関連した復調された入力信号（Ｓｆ（ｘ））を生成するために前記入力信号（Ｓ）を有限分析および部分設定関数ｆ（ｘ＝Ｓ）の１つを施すことによって定められる請求項３記載の方法。
【請求項５】
前記関数のうちの少なくとも１つは、振幅復調（ＡＭ）、振幅復調の対数（ｌｏｇｎ（ＡＭ））、周波数復調（ＦＭ）および周波数復調の時間的微分（ｄ／ｄｔ（ＦＭ））のうちの１つである請求項４記載の方法。
【請求項６】
前記異なる復調方式の前記相関（６ａ，６ｂ，６ｃ）の前記異なる結果は、前記入力信号（Ｓ）のずれ（τ）を算出するために各復調方式の前記相関結果がそれに適用される所定重み付け要素（ｇ１，ｇ２，ｇ３）を有する重み付け（８）を施される請求項１記載の方法。
【請求項７】
入力信号（Ｓ）を同期化する方法であって、
第一の復調された入力信号（ＳＡＭ）を生成するための第一の信号パラメータに関連して第一の復調方式（ＡＭ）にしたがって入力信号（Ｓ）を復調し（５ａ）、
第一の復調された入力信号（ＳＡＭ）と第一の比較信号（ｆ（ＡＭ，信号））との間の時間的ずれ（τ）を決定するために前記第一の復調された入力信号（ＳＡＭ）と前記第一の復調方式（ＡＭ）に依存する第一の比較信号（ｆ（ＡＭ，信号））とを相関させ（６ａ）、
前記比較信号（ｆ（ＡＭ，信号），ｆ（ＦＭ，信号），ｆ（ｆ（ｘ），信号））は、同期化シーケンスに対して前記第一の復調方式（ＡＭ，ＦＭ，ｆ（ｘ））を施すことによって獲得され、
前記相関によって決定された時間的ずれ（τ）にしたがって前記入力信号（Ｓ）を時間的にシフトさせることを含む方法。
【請求項８】
前記入力信号（Ｓ）に対して、復調（５ａ，５ｂ，５ｃ）の前後のいずれか一方においてアナログ／ディジタル変換（２；２ａ，２ｂ，２ｃ）を施す請求項１、３又は７に記載の方法。
【請求項９】
フィルタリング（１；１ａ，１ｂ，１ｃ）は、前記アナログ／ディジタル変換（２；２ａ，２ｂ，２ｃ）の前後のいずれか一方で行われる請求項８記載の方法。
【請求項１０】
前記フィルタリング（１；１ａ，１ｂ，１ｃ）は、各復調方式（ＡＭ，ＦＭ，ｆ（ｘ））毎に異なる請求項９記載の方法。
【請求項１１】
前記フィルタリング（１；１ａ，１ｂ，１ｃ）が実行されることによって、前記復調方式（ＡＭ，ＦＭ，ｆ（ｘ））が別の復調方式（ＡＭ，ＦＭ，ｆ（ｘ））に変換される請求項９記載の方法。
【発明の詳細な説明】
【０００１】
【従来の技術】
本出願は、ドイツ出願番号第１００  ２７  ３８９．０号（２０００年６月２日出願）の優先権を主張されたものであり、当該優先権主張出願の内容は、本願明細書において参考として組み入れられる。
【０００２】
本発明は、例えば移動無線信号における同期化パターンの検出による信号の同期化方法に関する。
【０００３】
移動無線信号は、通常、バーストとして伝送され、同期化シーケンスは、各バーストにおいて伝送され、それによって振幅変化（フェージング）およびマルチパス受信時に受信器を復調しやすくし、さらにチャネル・パルス応答の評価を可能とする。この点において、固定同期化シーケンスが伝送されるか、あるいは伝送された同期化シーケンスが限られた数の可能性のある同期化シーケンスの中から選択される。
【０００４】
そのような信号に対する復調試験器は、送信された同期化信号に対して、比較的高い正確度で、信号の時間関係を正確に判断し、重み付けフィルターを使用して計測して、時間的に関連づける機能を有する。複数個の様々な同期化シーケンスが送信される場合、まず、どの同期化シーケンスが具体的な、または確定的なバースト中にあるかが決定される必要がある。さらに、同期化シーケンスの時間的位置が決定されなければならず、特定の場合において必要であれば、入力信号は時間的にシフトされて、入力信号の定められた時間位置が存在するようにする。
【０００５】
通常、これは、ビットレベルで、Ｉ／Ｑ復調器によって入力信号を復調させることによって実現され、ビットレベルで同期化シーケンスのために探索される。このようにして、入力信号内の同期化シーケンスの相対的な時間位置が決定されることが可能であり、それに応じて入力信号はシフトされることが可能である。
【０００６】
この処理は、データ内容をビットレベルへ復調するために計算を比較的多く必要とするという欠点がある。
【０００７】
【発明が解決しようとする課題】
したがって、本発明の目的は、必要とされる計算量が少ない信号の同期化方法を提供することである。
【０００８】
【課題を解決するための手段】
本発明の原理によれば、入力信号を同期化するための方法は、第一の復調された入力信号を生成するための第一の信号パラメータを用い第一の復調方式を使用して入力信号を復調し、第一の復調された入力信号と第一の比較信号との間の時間的ずれを決定するために第一の復調された入力信号と第一の復調方式に依存する第一の比較信号とを相関させ、相関によって決定された時間的ずれにしたがって入力信号を時間的にシフトまたは移動させることを含む。
【０００９】
本発明は、入力信号の復調による同期化シーケンスの複雑でない検出はビットレベルまで下げて実現することは不可能であり、振幅などの第一の信号パラメータに関連した、またはそれを使用した復調によってのみ実現されるという認識に基づく。この復調、例えば振幅復調は、アナログ信号レベルでも、ディジタル信号レベルでさえも実行することが可能である。
【００１０】
Ｉ／Ｑ復調器によるビットレベルまでの完全な復調とは逆に、必要とされる計算量が非常に少ない。そのような復調された入力信号は、その後、比較信号と相関される。比較信号は、同期化シーケンスに対して、または複数の同期化信号が比較される場合は同期化信号のそれぞれの同期化シーケンスに対して同じ復調、例えば、振幅復調を１度適用することによって獲得されることが可能である。したがって、この相関は、ビットレベルで行われない。この相関を使用すれば、比較信号に関連して、相対的な時間的ずれの表示を獲得することができる。入力信号を、そのずれの量だけ移動またはシフトさせることによって、入力信号の同期化が実現可能である。この発明の方法のさらなる有効な利点を本願明細書において説明し、主張する。
【００１１】
好ましくは、復調は、振幅に関連するなど、１つの信号パラメータのみに関連して行われるのではなく、その信号とともに例えば振幅変調および周波数変調など、個別の復調ブランチにおいて様々な復調が施される周波数などのさらなる信号パラメータに関連して行われる。各復調ブランチにおいて、同期化シーケンスまたは複数の同期化シーケンスの対応する復調によって生成された比較信号との相関が行われる。
【００１２】
この復調方式は、異なる関数を各復調ブランチにおいて入力信号に適用することで、任意の分析的または断続的に定められた関数によって定義されることが可能である。比較信号は、それぞれの同期化シーケンスまたは複数の同期化シーケンスからそれぞれ生成され、同期化シーケンスに、同一の復調関数が施される。振幅復調および周波数復調に加えて、振幅復調の対数または位相復調と同様に周波数復調の時間的微分を使用することも可能であるが、それらは可能な復調関数の例に過ぎない。
【００１３】
好ましくは、復調された入力信号と、様々な復調ブランチにおいて獲得された比較信号との間の様々な時間的ずれは、重み付けが施される。最も単純な場合、各復調ブランチにおいて同一の重み付けが施されることが可能で、入力信号がシフトされる時間的ずれは、様々な復調部分における様々な相関の結果の平均である。しかしながら、好ましくは、各復調ブランチは異なる重み付けによって計測され、これにより本発明の方法に関して、可能な限り最も正確で、発生した時間のずれの変化が可能な限り最も小さくすることができる。
【００１４】
相関結果の正確性を向上させるため、相関結果のそれぞれに対して補間を施すことが可能である。補間、均等化、または平均化関数とともに、例えば、所定の順序の多項式が相関結果の標本化位置を通過するようにし、標本化位置間の時間のずれがより正確に評価できるようにする。
【００１５】
入力信号のアナログ／ディジタル変換前または変換後、フィルタリングが行われることが可能である。このフィルタリングは、本方法の非常の初めの段階で実行されることが可能である。しかしながら、各復調パスを異なるフィルタリングにかけ、そのフィルタリングをそれぞれの復調方式に適応させることも可能である。このようにして、１つの復調方式を他のものと組み合わせることも可能である。
【００１６】
標本化期間の倍数ではない特定の値によって入力信号をシフトまたは移動させるために、補間も入力信号の時間的シフト時に行われることが好ましい。
【００１７】
以上の通り、本発明の入力信号を同期化する方法は、請求項１に記載の通り、入力信号（Ｓ）を同期化する方法であって、
第一の復調された入力信号（ＳＡＭ）を生成するための第一の信号パラメータに関連して第一の復調方式（ＡＭ）にしたがって入力信号（Ｓ）を復調し（５ａ）、
第一の復調された入力信号（ＳＡＭ）と第一の比較信号（ｆ（ＡＭ，信号））との間の時間的ずれ（τ）を決定するために前記第一の復調された入力信号（ＳＡＭ）と前記第一の復調方式（ＡＭ）に依存する第一の比較信号（ｆ（ＡＭ，信号））とを相関させ（６ａ）、
第二の復調された入力信号（ＳＦＭ）を生成するための第二の信号パラメータに関連して第二の復調方式（ＦＭ）にしたがって前記入力信号（Ｓ）を復調し（５ｂ）、
前記第二の復調された入力信号（ＳＦＭ）と前記第二の比較信号（ｆ（ＦＭ，信号））との間の時間的ずれを決定するための前記第二の復調された入力信号（ＳＦＭ）と第二の復調方式（ＦＭ）に依存する第二の比較信号（ｆ（ＦＭ，信号））とを相関させ（６ｂ）、
前記相関によって決定された時間的ずれ（τ）にしたがって前記入力信号（Ｓ）を時間的にシフトさせることを含むことを特徴とする。
また、請求項２記載の方法は、請求項１記載の方法において、前記第一の復調方式は振幅復調（ＡＭ）で、前記第一の信号パラメータは振幅であり、前記第二の復調方式は周波数復調（ＦＭ）で前記第二の信号パラメータは周波数としたことを特徴とする。
本発明の入力信号を同期化する方法は、請求項３に記載の通り、入力信号（Ｓ）を同期化する方法であって、３以上のｎ個の異なる復調された入力信号（Ｓｆ（ｘ））を生成するために前記入力信号（Ｓ）は、ｎ個の異なるパラメータに関連するｎ個の異なる復調方式（ｆ（ｘ））にしたがって復調され（５ａ，５ｂ，５ｃ）、
各復調された入力信号（Ｓｆ（ｘ））と前記関連比較信号（ｆ（ｆ（ｘ），信号））との間の時間的ずれ（τ１，τ２，τ３）を決定するためにそれぞれの復調された入力信号（Ｓｆ（ｘ））は、前記関連復調方式（ｆ（ｘ））に依存した関連比較信号（ｆ（ｆ（ｘ），信号））と相関させ（６ａ，６ｂ，６ｃ）、
前記相関によって決定された時間的ずれ（τ）にしたがって前記入力信号（Ｓ）を時間的にシフトさせることを含むことを特徴とする。
また、請求項４記載の方法は、請求項３記載の方法において、それぞれの復調方式は、前記関連した復調された入力信号（Ｓｆ（ｘ））を生成するために前記入力信号（Ｓ）を有限分析および部分設定関数ｆ（ｘ＝Ｓ）の１つを施すことによって定められることを特徴とする。
また、請求項５記載の方法は、請求項４記載の方法において、前記関数のうちの少なくとも１つは、振幅復調（ＡＭ）、振幅復調の対数（ｌｏｇｎ（ＡＭ））、周波数復調（ＦＭ）および周波数復調の時間的微分（ｄ／ｄｔ（ＦＭ））のうちの１つとしたことを特徴とする。
また、請求項６記載の方法は、請求項１記載の方法において、前記異なる復調方式の前記相関（６ａ，６ｂ，６ｃ）の前記異なる結果は、前記入力信号（Ｓ）のずれ（τ）を算出するために各復調方式の前記相関結果がそれに適用される所定重み付け要素（ｇ１，ｇ２，ｇ３）を有する重み付け（８）を施されることを特徴とする。
本発明の入力信号を同期化する方法は、請求項７に記載の通り、入力信号（Ｓ）を同期化する方法であって、
第一の復調された入力信号（ＳＡＭ）を生成するための第一の信号パラメータに関連して第一の復調方式（ＡＭ）にしたがって入力信号（Ｓ）を復調し（５ａ）、
第一の復調された入力信号（ＳＡＭ）と第一の比較信号（ｆ（ＡＭ，信号））との間の時間的ずれ（τ）を決定するために前記第一の復調された入力信号（ＳＡＭ）と前記第一の復調方式（ＡＭ）に依存する第一の比較信号（ｆ（ＡＭ，信号））とを相関させ（６ａ）、
前記比較信号（ｆ（ＡＭ，信号），ｆ（ＦＭ，信号），ｆ（ｆ（ｘ），信号））は、同期化シーケンスに対して前記第一の復調方式（ＡＭ，ＦＭ，ｆ（ｘ））を施すことによって獲得され、
前記相関によって決定された時間的ずれ（τ）にしたがって前記入力信号（Ｓ）を時間的にシフトさせることを含むことを特徴とする。
また、請求項８記載の方法は、請求項１、３又は７記載の方法において、前記入力信号（Ｓ）に対して、復調（５ａ，５ｂ，５ｃ）の前後のいずれか一方においてアナログ／ディジタル変換（２；２ａ，２ｂ，２ｃ）を施すことを特徴とする。
また、請求項９記載の方法は、請求項８記載の方法において、フィルタリング（１；１ａ，１ｂ，１ｃ）は、前記アナログ／ディジタル変換（２；２ａ，２ｂ，２ｃ）の前後のいずれか一方で行われることを特徴とする。
また、請求項１０記載の方法は、請求項９記載の方法において、前記フィルタリング（１；１ａ，１ｂ，１ｃ）は、各復調方式（ＡＭ，ＦＭ，ｆ（ｘ））毎に異なるものにしたことを特徴とする。
また、請求項１１記載の方法は、請求項９記載の方法において、前記フィルタリング（１；１ａ，１ｂ，１ｃ）が実行されることによって、前記復調方式（ＡＭ，ＦＭ，ｆ（ｘ））が別の復調方式（ＡＭ，ＦＭ，ｆ（ｘ））に変換されることを特徴とする。
【００１８】
【発明の実施の形態】
本発明のさらなる利点、特徴および詳細を、図面に示す実施例を使用して以下で詳細に説明する。記述および描写される特徴は、本発明の別の実施形態において個別に、または好適な組み合わせにおいて使用されることが可能である。本発明の以上およびその他の目的、特長および利点は本発明の好適実施形態のより詳細な記述に従うことによって明らかとなるであろう。また、それらは添付図面においても図示される通りであり、図中の参照番号は図が異なっても同一部分を指すものとする。図面は、必ずしも正しい寸法ではないが、明確に本発明の原理を図示することを重視している。
本発明の方法の実施形態を図１および図２を参照して詳細に説明する前に、ＥＤＧＥバーストの例について図３を使用してまず説明し、本発明をより理解しやすくする。ただし、本発明は、ＥＤＧＥ信号に限定されるものではなく、ＥＤＧＥ信号を説明目的でのみ使用するものとする。本発明は、例えば、ＧＳＭ信号に対しても最適である。
【００１９】
ＥＤＧＥバーストの振幅は、図３において、時間の関数として表され、この時間はシンボル（Ｓｙｍ）単位で寸法が設定されている。全１４７の送信データシンボルから、２６データシンボルが参照（または同期化）シーケンスＲを形成し、データ領域Ｄ１およびＤ２に挟まれている中間にある。そのようなＥＤＧＥバーストを受信すると、特に、フェージングおよびマルチパス受信がある場合、同期化シーケンスＲによって、受信器は容易に復調を行うことができるようになる。
【００２０】
少ないエラーでデータ領域Ｄ１およびＤ２を計測可能とするためには、ＧＳＭバーストまたはＥＤＧＥバーストの相対的な時間的位置を正確に決定しなければならない。これは、通常、データ内容が既知である同期化シーケンスＲを使用することによって実現される。特定のＥＤＧＥバーストの同期化シーケンスＲは、可能性のある同期化シーケンスの所定の限定数から選択される。したがって、どの同期化シーケンスＲが特定のＥＤＧＥバーストの中に含まれるかを最初に決定しなければならず、その後、この同期化シーケンスＲの相対的な時間的移動またはシフトを決定する必要がある。従来、これは、通常、Ｉ／Ｑ復調器を使用して、受信された同期化シーケンスＲをビットレベルまで復調し、そのビットパターンを可能な同期化シーケンスのビットパターンと比較することによって実現されてきた。しかしながら、この処理は、ビットレベルまで復調計算を必要とするので有効ではなかった。
【００２１】
図１は、本発明の方法の第一の実施形態を示すものである。
【００２２】
例えば、ＥＤＧＥバーストまたはＧＳＭバーストなどの入力信号は、帯域限定フィルター１に供給され、その後、アナログ／ディジタル変換器２に供給される。アナログ／ディジタル変換器の後、入力信号が計測ブランチ３と少なくとも１つの復調ブランチ４ａに分岐する。しかしながら、複数の復調ブランチが提供されることが好ましく、図示の例では、例えば、３つの復調ブランチ４ａ〜４ｃが提示されており、さらに復調ブランチ４ｄが示されている。信号は、計測ブランチ３を介してメモリ５に供給される。
【００２３】
復調ブランチ４ａ〜４ｃのそれぞれにおいて、信号は、それぞれ、その入力信号を他とは異なる復調方式で、すなわち異なる信号パラメータに関連して、またはそれを使用して復調する復調器５ａ〜５ｃに供給される。例えば、第一の復調ブランチ４ａの第一の復調器５ａにおいて、振幅復調が実行されるため、関連する信号パラメータは振幅、すなわちその値となる。第二の復調ブランチ４ｂの第二の復調器５ｂにおいて、周波数復調が実行されるため、これは周波数が関連信号パラメータとなる復調である。第３の復調ブランチ４ｃにおいて、復調は、効果的に一般化されるように示されており、ディジタル化された入力信号Ｓの標本値は、それぞれ、関数ｆ（ｘ）の変数を形成し、入力信号Ｓは、関数ｆ（ｘ＝Ｓ）が施される。この点において、基本的に、分析的な、または断続的に定義された関数が最適である。例えば、入力信号Ｓは、対数化または時間で微分されることが可能である。また、様々な関数が互いに組み合わされて、例えば、まず振幅復調が実行され、その後、振幅復調された信号の対数が生成されることが可能である。また、周波数復調をまず実行し、その後、時間微分を行って、ともに、結果として位相復調ｄ／ｄｔ（ＦＭ）＝ＰＭとなるようにすることが可能である。従来の処理とは逆に、ここでは、ビットレベルでの復調は一切行われず、入力信号Ｓは、ある程度、例えば振幅または周波数などの異なる信号パラメータによって、それぞれ、特に特徴づけられる入力信号ＳＡＭ、ＳＦＭ、Ｓｆ（ｘ）を生成するために重み付け関数ｆ（ｘ）を施される。
【００２４】
復調器５ａ〜５ｃに結合される相関段６ａ〜６ｃのそれぞれにおいて、それぞれの復調された入力信号ＳＡＭ、ＳＦＭ、Ｓｆ（ｘ）と対応する比較信号ｆ（ＡＭ，信号）、ｆ（ＦＭ，信号）、ｆ（ｆ（ｘ），信号）との相関が実行される。これらの比較信号は、図３の既知の同期化シーケンスＲに対して、同一のフィルタリングを用いる対応復調ブランチの復調方式を施すことによって生成される。例えば、第一の復調ブランチ４ａに対する比較信号は、同期化シーケンスＲの振幅復調によって生成され、第二の復調ブランチ４ｂに対する比較信号は、同期化シーケンスＲの周波数復調によって生成される。複数の可能性のある同期化シーケンスのうちの１つが伝送されると、可能性のある同期化シーケンスのそれぞれは、それに応じて復調され、相関段６ａ〜６ｃでの相関結果を使用して、相関ピークの最大振幅をまず選ぶことによって、調査されたバーストにおいてどのシーケンスが伝送または使用されるかを決定可能である。最後に、相関ピークの時間的位置を決定すると、比較信号に関連して入力信号Ｓの時間的ずれを計測可能となる。
【００２５】
図示する好適実施形態において、相関段６ａ〜６ｃは、任意で必ずしも必要ではない補間段７ａ〜７ｃに結合される。この補間段７ａ〜７ｃは、ディジタル化された入力信号Ｓの標本化位置間であっても、相関結果の補間を可能とし、最大値のより正確な決定を実現する。図４は、これを明確にしたものである。図４は、相関段６ａ〜６ｃの１つの出力における相関関数の振幅Ａを示すもので、時間ｔ１〜ｔ５における点に対応する標本化位置Ｓ１〜Ｓ５をとっている。時間的ずれτを決定するために標本化点ｔ１〜ｔ５での最大振幅の基準のみを使用した場合、その結果はτ＝ｔ３となる。しかしながら、実際、相関関数の最大値は、標本化点ｔ３〜ｔ５の間にある。最大値の正確な位置は、例えば、所定の順序の多項式が支持点Ｓ１〜Ｓ５に置かれるという補間方式によって決定されることが可能である。
【００２６】
図示する好適実施形態において、様々な復調ブランチ４ａ〜４ｃにおける時間的ずれτ１〜τ３は、重み付け段８に供給され、重み付け段８は、重み付け要素ｇ１〜ｇ３とともに、個別の復調ブランチ４ａ〜４ｃ中で受信された時間的ずれτ１〜τ３を重みづけし、以下の式にしたがって重み付け時間的ずれτを決定する。
τ＝１／ｎ（τ１・ｇ１＋τ２・ｇ２＋・・・τｎｇｎ）
この数学的手段に加えて、他の平均化または計算関数も使用可能である。
【００２７】
最も単純な場合において、様々な重み付け要素ｇ１〜ｇｎは、１に等しく、様々な復調ブランチの重み付けが同一となる。しかしながら、異なる復調ブランチを異なって重み付けし、本新規の方法によって予測される時間的ずれτの最も可能性のある確度と時間的ずれτの最小可能変化とを達成することが有益である。
【００２８】
シフトおよび補間段９において、メモリ５からの取り出される入力信号Ｓは、決定され重み付けされた時間的ずれτにしたがって時間的にシフトされる。また、このシフトの間に標本期間の整数の倍数によるシフトだけでなく、中間値も同様に実行可能である補間が行われることが好ましい。
【００２９】
図１に示す複数の復調ブランチ４ａ〜４ｃは、本発明に必ずしも必要ではない。また、本発明は、単一の復調チャネルでも実行可能である。
【００３０】
なお、図１に図示するブロック図は、必ずしも回路（ハードウェア）として技術的に実現される必要はない。本発明はプログラム工程（ソフトウェア）によって実装されることが好ましい。
【００３１】
図２は、本発明の第二の実施形態のブロック図である。上述の要素に対しては同一の番号を付し、重複する説明は省略する。
【００３２】
図１を参照して説明された実施形態とは逆に、図２の実施形態において、入力信号Ｓは、すでに復調ブランチ４ａ〜４ｃとアナログレベルの計測ブランチ３とに分割され、フィルター１ａ〜１ｃにおいて、例えば異なる帯域幅に対して、異なる特性を有するフィルタリングが施される。各復調された信号ＳＡＭ，ＳＦＭ，Ｓｆ（ｘ）のそれぞれはアナログ／ディジタル変換器２ａ〜２ｃに供給される前に、復調器５ａ〜５ｃにおける復調が、アナログレベルでも実行される。相関段６ａ〜６ｃと補間段７ａ〜７ｃとにおいて、上述の相関および補間が実行される。計測信号３は、復調信号に関係なく、アナログ／ディジタル変換器２ｄにおいてディジタル信号に変換され、メモリ５に入力される。
【００３３】
図２の実施形態の利点は、各フィルター１ａ〜１ｃのフィルター特性が対応する復調方式に適応可能なことである。さらに、フィルター特性は、変調方式が別の変調方法に変換されることが可能となるように選択されることも可能である。例えば、エッジ復調は、中間周波数へ相対的にシフトさせる小帯域のフィルターの組み合わせを通って振幅復調器によって実行されることが可能であり、それによって入力信号Ｓの周波数変調部分は、振幅復調器によって計測される。様々なフィルターは、時間的に単一の復調器に切り換えられることが可能であり、様々なフィルターの特定のフィルター特性に応じて、異なる信号パラメータが復調器で計測されることが可能である。
【００３４】
また、図２の復調器５ａ〜５ｃをアナログ／ディジタル変換器２ａ〜２ｃと交換することによって、当然ながらバリエーションの可能性は高まる。さらにフィルターは、計測ブランチ３中に備えられることが可能で（図２には示されていないが）、復調ブランチ４ａ〜４ｃとは異なるフィルター特性を有することも可能である。
【００３５】
相関段６ａ〜６ｃ中における相関は、例えば、コンボリューション（またはハッシュ符号化）によって、時間領域において、有限インパルス応答（ＦＩＲ）フィルターを使用して、またはフーリエ変換、周波数領域における乗算、最後にフーリエ逆変換をまた使用して実行されることが可能であり、それによって、計算時間の節約が可能となる。
【００３６】
補間段７ａ〜７ｃにおいて使用される補間関数は、適用される復調方式、フィルター特性、さらに比較信号（ｆ（ＡＭ，信号），ｆ（ＦＭ，信号）またはｆ（ｆ（ｘ），信号）から独立させることができ、それによって同期化シーケンスＲに依存させることが可能である。
【００３７】
また、本発明の方法は、特定の信号パラメータを含むコンポーネントが含まれているか、おそらく入力信号のどの部分に含まれているか、例えば、入力信号振幅変調コンポーネントのどの部分へ、また、周波数変調コンポーネントのどの部分へ含まれているかの決定に関連して入力信号を特長づけるために最適である。
【００３８】
上述のように、本発明の方法は、ベースバンドレベル上で実行されることが好ましく、それによって図１および図２のブロック図は、同相（Ｉ）成分に対して、さらに直交位相成分（Ｑ）に対して使用可能となる。さらに、したがってベースバンドミクサー（不図示）は、アナログ／ディジタル変換器の後に備えられ、Ｉ成分およびＱ成分を生成する必要がある。
【図面の簡単な説明】
【図１】本発明の方法の第一の実施形態を示すブロック図である。
【図２】本発明による方法の第二の実施形態を示すブロック図である。
【図３】ＥＤＧＥバーストの例を示す図である。
【図４】補間を示す図である。
【符号の説明】
１ａ〜１ｃ  帯域限定フィルター
２ａ〜２ｃ  アナログ／ディジタル変換器
３          計測ブランチ
４ａ〜４ｄ  復調ブランチ
５          メモリ
５ａ〜５ｃ  復調器（ＡＭ，ＦＭ，ｆ（ｘ））
６ａ〜６ｃ  相関段（Ｃｏｒｒ）
７ａ〜７ｃ  補間段（Ｉｎｔｅｒｐ）
８          重み付け段（ＧＥＷＩＣＨＴＵＮＧ）
【図１】
0003621055.tif 000002
【図２】
0003621055.tif 000003
【図３】
0003621055.tif 000004
【図４】
0003621055.tif 000005